(57)【要約】【課題】小型化された壁掛型暖房機を提供すること。【解決手段】壁掛型暖房機（１０）は、壁（Ｗ）に取り付けられたケース（２０）と、ケース（２０）に設けられそれぞれ制御基板（３２，３４）が収納される第１の収納部（３１）及び第２の収納部（３３）と、第１の収納部（３１）に収納された第１の制御基板（３２）と、第２の収納部（３３）に収納された第２の制御基板（３４）と、第１の制御基板（３２）及び第２の制御基板（３４）を接続する接続部材（３５）と、接続部材（３５）を覆い第１の収納部（３１）及び第２の収納部（３３）を接続するカバー部（３６）と、を有する。【選択図】図３
2018004192.tif 000002
【特許請求の範囲】
【請求項１】
壁に取り付けられたケースと、このケースに設けられそれぞれ制御基板が収納される第１の収納部及び第２の収納部と、この第１の収納部に収納された第１の制御基板と、前記第２の収納部に収納された第２の制御基板と、これらの第１の制御基板及び第２の制御基板を接続する接続部材と、この接続部材を覆い前記第１の収納部及び第２の収納部を接続するカバー部と、を有する壁掛型暖房機。
【請求項２】
前記カバー部は、前記第１の収納部又は第２の収納部のいずれか一方に一体的に形成され、
前記カバー部の先端部は、前記第１の収納部又は第２の収納部のいずれか他方の内部に位置していることを特徴とする請求項１に記載の壁掛型暖房機。
【請求項３】
前記ケースは、
前記ケースの外部から空気を取り入れて前記ケースの外部へ空気を送出する送風機構を備えると共に、
前記壁に沿って配置された背面部と、この背面部の下端から室内に向かって斜め上方に延びる前面部と、この前面部の上端から前記背面部の上端まで延びる天井面部と、を有する側面視略三角形状を呈し、
前記第２の制御基板は、前記ケースの左右どちらかの端部に位置すると共に、前記前面部に沿って配置された、前記ケースの外部からの電気信号を受信可能な制御基板であり、
前記第１の制御基板は、前記第２の制御基板よりも大きなメイン基板であって、前記送風機構の前方に配置されていることを特徴とする請求項１又は請求項２に記載の壁掛型暖房機。
【発明の詳細な説明】
【技術分野】
【０００１】
本発明は、ケースが壁に取り付けられてなる壁掛型暖房機に関する。
【背景技術】
【０００２】
浴室や脱衣所の壁に掛けて用いる暖房機が知られている。このような壁掛型暖房機として特許文献１に開示される技術がある。
【０００３】
特許文献１に示されるような、暖房機は、浴室において使用される。浴室や脱衣所のような狭い場所においては、配置スペースが制限されるため、暖房機の小型化が望まれる。
【先行技術文献】
【特許文献】
【０００４】
【特許文献１】特開２００７−４０６３４号公報
【発明の概要】
【発明が解決しようとする課題】
【０００５】
本発明は、小型化された壁掛型暖房機の提供を課題とする。
【課題を解決するための手段】
【０００６】
請求項１による発明によれば、壁に取り付けられたケースと、このケースに設けられそれぞれ制御基板が収納される第１の収納部及び第２の収納部と、この第１の収納部に収納された第１の制御基板と、前記第２の収納部に収納された第２の制御基板と、これらの第１の制御基板及び第２の制御基板を接続する接続部材と、この接続部材を覆い前記第１の収納部及び第２の収納部を接続するカバー部と、を有する壁掛型暖房機が提供される。
【０００７】
請求項２に記載のごとく、好ましくは、前記カバー部は、前記第１の収納部又は第２の収納部のいずれか一方に一体的に形成され、
前記カバー部の先端部は、前記第１の収納部又は第２の収納部のいずれか他方の内部に位置している。
【０００８】
請求項３に記載のごとく、好ましくは、前記ケースは、
前記ケースの外部から空気を取り入れて前記ケースの外部へ空気を送出する送風機構を備えると共に、
前記壁に沿って配置された背面部と、この背面部の下端から室内に向かって斜め上方に延びる前面部と、この前面部の上端から前記背面部の上端まで延びる天井面部と、を有する側面視略三角形状を呈し、
前記第２の制御基板は、前記ケースの左右どちらかの端部に位置すると共に、前記前面部に沿って配置された、前記ケースの外部からの電気信号を受信可能な制御基板であり、
前記第１の制御基板は、前記第２の制御基板よりも大きなメイン基板であって、前記送風機構の前方に配置されている。
【発明の効果】
【０００９】
請求項１に係る発明では、壁掛型暖房機は、２つの制御基板を接続部材によって接続する構成とした。２つの制御基板から構成することにより、それぞれの制御基板は、より狭い部位であっても収納することができ、結果、より小型なケースであっても収納することができる。これにより、小型化された壁掛型暖房機を提供することができる。
【００１０】
さらに、接続部材を覆い第１の収納部及び第２の収納部を接続するカバー部を有する。接続部材をカバー部によって覆うことにより、防湿性を高めることができる。防湿性を高めるのにシール材等を用いる必要がない。
【００１１】
本発明によれば、防湿性を確保しつつ、小型化された壁掛型暖房機を提供することができる。
【００１２】
請求項２に係る発明では、カバー部は、第１の収納部又は第２の収納部のいずれか一方に一体的に形成され、カバー部の先端部は、他方の内部に位置している。第１の収納部又は第２の収納部のいずれか一方に一体的に形成されることにより、部品点数の増加を抑制することができる。加えて、カバー部の先端部が第１の収納部又は第２の収納部の他方の内部まで突出しているため、より高い防湿性を確保することができる。即ち、少ない部品点数でありながら、より高い防湿性を有する壁掛型暖房機を提供することができる。
【００１３】
請求項３に係る発明では、第２の制御基板は、ケースの左右どちらかの端部に位置すると共に、前面部に沿って配置された、ケースの外部からの電気信号を受信可能な制御基板である。例えば、操作者がリモコン装置により壁掛型暖房機を作動させる場合に、第２の制御基板が前面部の左右の端部に位置しているため、容易に電気信号を受信することができる。即ち、第２の制御基板が天井面部等に配置されている場合には、リモコン装置からの電気信号を受け取るための構造が複雑になる虞がある。
【００１４】
一方、第１の制御基板は、第２の制御基板よりも大きなメイン基板であって、送風機構の前方に配置されている。壁掛型暖房機のメイン基板である第１の制御基板は、送風機構の前方に配置されている。送風機構の周縁は、送風機構が作動しているため、高温になることを抑制することができる。このような部位に第１の制御基板を配置することにより、メイン基板を適確に保護することができる。即ち、メイン基板を適確に保護しつつ、外部からの電気信号を適確に受信することができる。
【図面の簡単な説明】
【００１５】
【図１】本発明の実施例による壁掛型暖房機の正面図である。
【図２】図１の２−２線断面図である。
【図３】図１に示された壁掛型暖房機の分解斜視図である。
【図４】図３に示された第２の収納部の分解図である。
【図５】図３に示されたケースに第２の収納部が組み付けられた状態の斜視図である。
【発明を実施するための形態】
【００１６】
本発明の実施の形態を添付図に基づいて以下に説明する。
＜実施例＞
【００１７】
図１を参照する。壁掛型暖房機１０は、例えば、脱衣所において用いられる横長の暖房装置である。壁掛型暖房機１０は、壁Ｗに取り外し可能に設けられたリモコン装置１１によって操作される。
【００１８】
図２を併せて参照する。壁掛型暖房機１０は、壁Ｗにケース２０が固定されてなる。ケース２０の内部には、２本のヒーター１２，１２、これらのヒーター１２，１２を覆っている反射板１３、及び、反射板１３に向かって送風を行う送風機構１４、この送風機構１４の前方を仕切る仕切り壁１５、ヒーター１２，１２、及び、送風機構１４を制御するための制御部３０が収納されてなる。
【００１９】
図１を参照する。ケース２０の左右の端部には、それぞれフィルタ１６，１６が取り付けられている。フィルタ１６，１６は、塵や埃の堆積を抑制するために、概ね鉛直軸に沿って設けられている。
【００２０】
横長とは、水平側の横寸法が、鉛直側の縦寸法より大きいことをいい、この例では横寸法：縦寸法が、約２：１であるが、この比に限定されるものではない。さらには、縦長であってもよい。
【００２１】
図２を参照する。ケース２０は、壁Ｗに固定された平面状の背面部２１と、この背面部２１の上端から室内Ｒに向かって延びる平面状の天井面部２２と、この天井面部２２の先端から背面部２１の下端まで延びる曲面状の前面部２３と、を備えている。天井面部２２及び前面部２３は、一体的に形成されている。
【００２２】
天井面部２２は、壁Ｗから室内Ｒに向かって緩やかな下がり勾配に延びている。
【００２３】
前面部２３は、緩やかな曲面によって構成されている。前面部２３の下部には、幅方向に亘って開口２３ａが形成され、この開口２３ａからヒーター１２，１２が室内Ｒに臨んでいる。開口２３ａには、ヒーター１２，１２を保護するための網板１７が被せられている。
【００２４】
ヒーター１２，１２は、それぞれ水平に延びる棒状ヒーターが用いられている。ヒーター１２，１２は、それぞれ上下にオフセットして配置されている。
【００２５】
なお、ヒーター１２，１２には、横長の面状ヒーターを用いることもできる。また、ヒーター１２，１２の本数は、任意である。
【００２６】
反射板１３は、側面視において略Ｗ字状を呈する金属板であり、ヒーター１２，１２が発した熱線を室内Ｒに向かって反射させる。
【００２７】
反射板１３には、中央の幅方向に亘って、送風機構１４からの空気が通過する通気孔が空けられている。これにより、反射板１３の近傍に熱が篭もることを抑制している。
【００２８】
送風機構１４は、ケース２０の幅方向中央に位置するファンモータ１４ａと、このファンモータ１４ａの左右に配置されファンモータ１４ａによって駆動される左右のシロッコファン１４ｂ（右のシロッコファン１４ｂのみが示されている。）と、を有している。
【００２９】
送風機構１４において発生させた風は、主に反射板１３の中央開口部分を通過して室内Ｒに達する。
【００３０】
仕切り壁１５は、天井面部２２の下面から略垂直に下がり、前面部２３の開口２３ａの縁まで延びている。仕切り壁１５は、ケース２０内部の幅方向に亘って設けられている。
【００３１】
図３を参照する。図３には、壁掛型暖房機１０の分解斜視図が示されている。ケース２０の一部は、説明の都合上除かれている。制御部３０は、第１の収納部３１と、この第１の収納部３１に収納された第１の制御基板３２と、第２の収納部３３と、この第２の収納部３３に収納された第２の制御基板３４と、これらの第１の制御基板３２及び第２の制御基板３４を接続する接続部材３５と、この接続部材３５を覆い第１の収納部３１及び第２の収納部３３を接続するカバー部３６と、を有する
【００３２】
第１の収納部３１は、仕切り壁１５と、この仕切り壁１５に固定された収納部カバー４１と、によって構成されている。即ち、第１の収納部３１は、送風機構１４（図２参照）の前方を仕切る仕切り壁１５を利用している。
【００３３】
収納部カバー４１は、右端部にカバー部３６に被せられるよう欠肉状に構成された欠肉部４１ａを有している。欠肉部４１ａは、カバー部３６の外縁に沿って上方に向かってＵ字状に形成されている。欠肉部４１ａは、ヒーター１２，１２の左右の端部よりもさらに外側にオフセットされた位置に形成されている。第１の収納部３１は、欠肉部４１ａを除いて密閉されている。
【００３４】
第１の制御基板３２は、第２の制御基板３４よりも大きなメイン基板であって、ヒーター１２，１２や送風機構１４の動作を制御する。第１の制御基板３２は、仕切り壁１５に固定されている。これにより、第１の制御基板３２は、送風機構１４の前方（送風機構１４の室内Ｒ側の側部）に位置している。
【００３５】
図４を参照する。第２の収納部３３は、下部収納部半体３３ａに上部収納部半体３３ｂが重ね合わされてなる。上部収納部半体３３ｂは、図３に示された状態から反転させた状態において示されている。第２の収納部３３は、ケース２０の前面部２３（図３参照）に連続した形状に形成されている。
【００３６】
第２の制御基板３４は、リモコン装置１１（図１参照）からの電気信号を受信可能な制御基板であり、上部収納部半体３３ｂにビス４３によって固定されている。
【００３７】
図３を併せて参照する。接続部材３５は、第１の制御基板３２及び第２の制御基板３４を電気的に接続している。例えば、第２の制御基板３４がリモコン装置１１（図１参照）から受けた電気信号は、接続部材３５を介して第１の制御基板３２に送られる。接続部材３５は、第１の収納部３１、カバー部３６、及び、第２の収納部３３によって覆われている。
【００３８】
カバー部３６は、第２の収納部３３に一体的に形成されている。より具体的には、カバー部３６は、下部収納部半体３３ａの先端に一体的に形成された下部カバー部半体３６ａと、上部収納部半体３３ｂの先端に一体的に形成された上部カバー部半体３６ｂと、からなる。カバー部３６は、下部カバー部半体３６ａに上部カバー部半体３６ｂが重ねられることにより、角筒状に形成されている。
【００３９】
図５を参照する。壁掛型暖房機１０の組み立ては、まず、ケース２０の右の端部に第２の収納部３３を固定する。これにより、カバー部３６は、仕切り壁１５の前面に密着した状態によって固定される。次に、接続部材３５の先端を第１の制御基板３２に接続する。このとき、コネクタを介して接続する構成とすることにより、組立作業が容易になる。
【００４０】
次に、収納部カバー４１を仕切り壁１５に固定する。このとき、欠肉部４１ａによってカバー部３６を覆う。欠肉部４１ａがカバー部３６に密着すると共に、カバー部３６の先端部は、第１の収納部３１の内部に位置することとなる。
【００４１】
以上に説明した本発明は、以下の効果を奏する。
【００４２】
図５を参照する。壁掛型暖房機１０は、２つの制御基板３２，３４を接続部材３５によって接続する構成とした。２つの制御基板３２，３４から構成することにより、それぞれの制御基板３２，３４は、より狭い部位であっても収納することができ、結果、より小型なケース２０であっても収納することができる。これにより、小型化された壁掛型暖房機１０を提供することができる。
【００４３】
さらに、接続部材３５を覆い第１の収納部３１及び第２の収納部３３を接続するカバー部３６を有する。接続部材３５をカバー部３６によって覆うことにより、防湿性を高めることができる。防湿性を高めるのにシール材等を用いる必要がない。
【００４４】
本発明によれば、防湿性を確保しつつ、小型化された壁掛型暖房機１０を提供することができる。
【００４５】
さらに、カバー部３６は、第２の収納部３３に一体的に形成され、カバー部３６の先端部は、第１の収納部３１の内部に位置している。第２の収納部３３のいずれか一方に一体的に形成されることにより、部品点数の増加を抑制することができる。加えて、カバー部３６の先端部が第１の収納部３１の内部まで突出しているため、より高い防湿性を確保することができる。即ち、少ない部品点数でありながら、より高い防湿性を有する壁掛型暖房機１０を提供することができる。
【００４６】
第１の収納部３１にカバー部３６が一体的に形成され、カバー部３６の先端部が第２の収納部３３の内部に位置している場合も同様である。
【００４７】
さらに、第２の制御基板３４は、ケース２０の右の端部に位置すると共に、前面部２３に沿って配置された、ケース２０の外部からの電気信号を受信可能な制御基板である。例えば、操作者がリモコン装置１１（図１参照）により壁掛型暖房機１０を作動させる場合に、第２の制御基板３４が前面部２３の右の端部に位置しているため、容易に電気信号を受信することができる。即ち、第２の制御基板３４が天井面部２２（図２参照）等に配置されている場合には、リモコン装置１１からの電気信号を受け取るための構造が複雑になる虞がある。
【００４８】
図２も併せて参照する。一方、第１の制御基板３２は、第２の制御基板３４よりも大きなメイン基板であって、送風機構１４の前方に配置されている。壁掛型暖房機１０のメイン基板である第１の制御基板３２は、送風機構１４の前方に配置されている。送風機構１４の周縁は、送風機構１４が作動しているため、高温になることを抑制することができる。このような部位に第１の制御基板３２を配置することにより、第１の制御基板３２を適確に保護することができる。即ち、メイン基板を適確に保護しつつ、外部からの電気信号を適確に受信することができる。
【００４９】
尚、本発明による壁掛型暖房機は、脱衣所において用いられる壁掛型暖房機を例に説明したが、壁掛型暖房機が用いられる場所は、脱衣所には限られない。
【００５０】
さらに、壁掛型暖房機は、暖房機能及び送風機能を有しているものを例に説明したが、さらに冷房機能を備えているものであってもよい。加えて、暖房機能のみからなるものであっても良い。
【００５１】
さらに、接続部が第２収納部に一体的に形成されている例を基に説明したが、接続部は、第１収納部に一体的に形成されていてもよい。
【００５２】
本発明の作用及び効果を奏する限りにおいて、本発明は実施例に限定されるものではない。
【産業上の利用可能性】
【００５３】
本発明の壁掛型暖房機は、脱衣所を暖めるのに好適である。
【符号の説明】
【００５４】
１０…壁掛型暖房機
１４…送風機構
２０…ケース
２１…背面部
２２…天井面部
２３…前面部
３１…第１の収納部
３２…第１の制御基板
３３…第２の収納部
３４…第２の制御基板
３５…接続部材
３６…カバー部
Ｒ…室内
Ｗ…壁
【図１】
2018004192.tif 000003
【図２】
2018004192.tif 000004
【図３】
2018004192.tif 000005
【図４】
2018004192.tif 000006
【図５】
2018004192.tif 000007